Podtech/llm-jp-corpus-v4-ja_patent huggingface dataset:
(57)【要約】【課題】ペットの乾燥が楽に行なえるペット用乾燥ビニールハウスを提供する。【解決手段】  ビニールハウス１の内部の辺全体に空気孔２を施した送風ホース３を形成する。上部にペット出入口のファスナー４を設け、前部に首つき頭部出入口５を設け、首輪の手前に空気止めクリップ６を有する。後部に送風機ホースの受け７を設け、温度調節可能な送風機８を有する。両横部に腕の出し入れ口９の縁にマジックテープを有し、排気口を設けた蓋１０と、腕ぬき１１は付け替えて使用するために、縁にマジックテープを施すことを特徴とする。【選択図】    図１
2006212010.tif 000002
【特許請求の範囲】
【請求項１】
（イ）ビニールハウス１の内部の辺に、空気孔２を施した送風ホース３を形成する。
（ロ）ビニールハウス１の上部にペット出入口のファスナー４を設ける。
（ハ）前部に首輪つき頭部出入口５を設ける。
（ニ）首輪の手前に空気止めクリップ６を有する。
（ホ）後部に送風機ホース受け７を設ける。
（ヘ）送風機８を有する。
（ト）両横部に腕の出入口９の縁にマジックテープを施す。
（チ）排気口が設けてある蓋１０と、腕ぬき１１は付け替え用とするためのマジックテープを施す。
以上のごとく構成されたペット用乾燥ビニールハウス。
【発明の詳細な説明】
【発明の詳細な説明】
【技術分野】
【０００１】この発明は、透明ビニールハウスを形成し、その内部に風を入れて膨らませ、洗浄あとのペットを、その中で乾かそうとするものである。
【背景技術】
【０００２】従来、ペットの洗浄あとは、乾かす手間や時間がかかり、一苦労であった。
【発明が解決しようとする課題】
【０００３】それらは次のような欠点があった。
従来、ペットの乾燥は、タオルや、ドライヤーでの手作業が大変だった。
本発明は、以上のような欠点をなくすためになされたものである。
【課題を解決するための手段】
【０００４】  ペット用乾燥ビニールハウス１の内部の辺全体に、多数の小空気孔２を施した送風ホース３を形成する。上部にペット出入口のファスナー４を設け、前部に首輪つき頭部出入口５を設け、首輪の手前に空気止めクリップ６を有する。後部に送風機ホースの受け７を設け、温度調節可能な送風機を８を有する。両横部に腕の出入口９の縁にマジックテープを有し、排気口を設けた蓋１０と、腕ぬき１１は、付け替えて使用するために、縁にマジックテープを施す。
【発明を実施するための最良の形態】
【０００５】  以下、本発明の実施の形態について説明する。
通常は折りたたまれているビニールハウスを広げ、送風を開始すると、送風ホースの空気孔から風が吹き出し、ビニールハウスは膨らみ、立ち上がる。
本発明は、以上のような構成でこれを使用するときは、送風状態のままハウスの中にペットを入れてから、空気止めクリップを外し、首輪つき頭部出入口から頭部を出して、ペットを首輪で固定する。片方の腕の出入口の蓋を外し、腕ぬきを取り付け、腕を通して、さすりながら乾きを早めさせる。一方の腕の出入口は、蓋を摘み回して排気の調節を行なう。腕の出入口は、左右同じ働きをする。
本発明は、この様な構成であるが、ペット用の乾燥ビニールハウスは、他に、骨組みを組み立てて仕上げる方法や、大袋の口に首輪と、別カ所に送風口等を設け、風船状態にしても成り立つ。また、丸形、ドーム型と多様な形成も可能である。
【発明の効果】
【０００６】  大型犬の乾燥作業は長時間をついやすが、ペット用乾燥ビニールハウスに首を固定されてしまうことで、水滴をまき散らす心配もなく、飼い主にとっては重労働から開放され、透明なので、内部の状況が把握でき、安心である。ビニール素材を用いることで、移動も自在であり、折り畳んで保管ができ、また、サイズも様々に形成することができるので便利である。
【図面の簡単な説明】
【図１】    本発明の斜視図である。
【図２】    本発明の正面図である。
【図３】    本発明の正面図である。
【符号の説明】
１  ペット用乾燥ビニールハウス
２  空気孔
３  送風ホース
４  ペット出入口ファスナー
５  首輪つき出入口
６  空気止めクリップ
７  送風機ホースの受け
８  送風機
９  腕の出入口
１０  排気口つき蓋
１１  腕ぬき
【図１】
2006212010.tif 000003
【図２】
2006212010.tif 000004
【図３】
2006212010.tif 000005
(57)【要約】【課題】  従来までピーマンは胎座と隔壁に薬理物質が含有されている事が知られていないで来たので廃棄処分もしくは有効利用されないで来た。有効利用されないで来たピーマンの胎座と隔壁の薬理物質を食品及び医薬品として提供して有効利用すること。【解決手段】  ピーマンの胎座と隔壁が含有している血液の循環を活発にする薬理物質及び鎮痛作用と発毛促進の薬理物質を乾燥野菜にすることで、たやすく摂取できて長期の保存が出来る。【選択図】  図１
2006212007.tif 000002
【特許請求の範囲】
【請求項１】
ピーマンの胎座と隔壁の乾燥野菜。
【請求項２】
ピーマンの胎座と隔壁の乾燥野菜を原料とした健康食品、特定保健用食品、調味料、栄養補助食品、健康補助食品、機能性食品及びその他の加工食品、医薬部外品、医薬品。
【発明の詳細な説明】
【技術分野】
【０００１】  本発明は、薬理物質を含有しているピーマン胎座と隔壁の乾燥野菜に関する。
【背景技術】
【０００２】  従来はピーマンの胎座と隔壁に血液の循環を活発にする薬理物質が含有されている事が知られないで来た。またうま味も香りもないので廃棄処分もしくは有効利用されないで来た。【０００３】  （特許文献１）特開２００１−１１２４４１
【発明の開示】
【発明が解決しようとする課題】
【０００４】  以上に述べたように従来はピーマンの胎座と隔壁に薬理物質が含有されている事が知られないで来た。またうま味も香りもないので廃棄処分もしくは有効利用されないで来た。【０００５】  本発明は廃棄処分もしくは有効利用されないで来たピーマンの胎座と隔壁にすぐれた血液の循環を活発にする薬理物質がある事を見いだし乾燥野菜とすることで長い期間の保存を可能にして、健康増進に貢献する食品及び医薬品を提供することを目的とするものである。
【課題を解決するための手段】
【０００６】  そして本発明は上記目的を達成するためにピーマンの胎座と隔壁を取り出して乾燥野菜にして本発明を完成させた。本発明によって得られたピーマンの胎座と隔壁の乾燥野菜は健康食品、特定保健用食品、栄養補助食品、健康補助食品、機能性食品、調味料もしくはその他加工食品及びそれらの食品の配合用と成分の原料として用いることができる。さらに医薬品とその成分の原料として用いることができる。
【発明の効果】
【０００７】  本発明によって従来廃棄処分もしくは有効利用されないで来たピーマンの胎座と隔壁に健康増進に貢献する重要な有効成分の血液の循環を活発にする薬理物質及び鎮痛作用と発毛促進の薬理物質があることを見い出しピーマンの胎座と隔壁の乾燥野菜を原料とすることで健康食品、特定保健用食品、栄養補助食品、健康補助食品、機能性食品、その他の加工食品、あるいはそれら食品の配合用の原料として、及び単独で飲食に利用することが可能になった。さらに医薬品もしくは医薬品の成分の原料に利用することにより病気と老化の原因である血液の循環の低下を大幅に改善させることで世界中の人の健康と医療に多大に貢献することができる。
【発明の実施するための最良の形態】
【０００８】  以下、本発明の実施の形態を図１に基づいて説明する。
【０００９】  図において、２の種子と３の胎座と４の隔壁を１の果実から包丁で切って分離する。
【００１０】  上記の胎座と隔壁と種子をピーマン８００個の果実から分離して煮沸する。次にオーブンで乾燥させた後、日光に当て乾燥させて種子を除去して乾燥野菜とする。
【００１１】  かくして得られた乾燥野菜５個を８人の被験者に２日に１回８日間摂取させた後自己評価させたところ全員について、摂取前に比べて体調が良くなり更に身体の冷えが解消したとの結果が得られた。そのなかの２人については重度の冷え性が完治したとの結果が得られた。また乾燥野菜６個を５人の風邪症状の被験者に１日１回２日間摂取させたところ全員について、頭痛が解消して風邪が治ったとの結果が得られた。さらにその中の１人の被験者に乾燥野菜３個を１日に１回１２０日間接種させたところ脱毛していた頭頂部から毛髪が８割ほどの密度で発毛して成長したとの結果が得られた。
【図面の簡単な説明】
【００１２】
【図１】本発明の実施形態を示すピーマンの縦断面図である。
【符号の説明】
【００１３】  （１）果実
（２）種子
（３）胎座
（４）隔壁
【図１】
2006212007.tif 000003
(57)【要約】【課題】従来は、うに殻の再利用方法がなく、廃棄されていた。近年、うにの消費量が増え、うに殻の再利用が強く要望されていた。しかし、うに殻には再利用出来にくい欠点が多かった。それを改良したうに殻の飼料用製法を提供する。【解決手段】以下、本発明の課題を解決するための手段を説明する。イ）うにの中身をとったうに殻を、煮沸した真水か、薄い塩水で一定の時間茹でる。ロ）茹でたうに殻を乾燥させる。ハ）乾燥したうに殻を更に焼き乾燥させる。ニ）焼き乾燥したうに殻を、一定の粒度に切断か破砕する。以上のことを特徴とする。【選択図】なし【特許請求の範囲】
【請求項１】
イ）うにの中身をとったうに殻を、煮沸した真水か、薄い塩水で一定の時間茹でる。
ロ）茹でたうに殻を乾燥させる。
ハ）乾燥したうに殻を更に焼き乾燥させる。
ニ）焼き乾燥したうに殻を、一定の粒度に切断か破砕する。
以上のごとく、構成されたうに殻の飼料用製法に関するものである。
【発明の詳細な説明】
【発明の詳細な説明】
【技術分野】
【０００１】  この発明はうに殻を、真水又は薄い塩水の煮沸によって、殺菌と脱塩をして、更に焼き、乾燥で殺菌脱臭して、飼料用のサイズに破砕するうに殻の飼料用製法に関するものである。
【背景技術】
【０００２】  従来、うに殻は廃棄されて野積みされるか、肥料として埋められていた。
現在、食文化の向上で養殖物や輸入が増え、うに殻が多量に増えた。
そのため、従来の野積みでは、うに殻に残った有機物の腐敗による悪臭と蠅の発生等、大きな問題になり、多量に発生するうに殻の再利用を求められている。
【発明が解決しようとする課題】
【０００３】  従来、次のような課題があった。
イ）うに殻の脱塩処理
ロ）うに殻に付着した有機物の腐敗防止
ハ）うに殻の消臭処理
【課題を解決しようとする手段】
【０００４】  以下、本発明の課題を解決するための手段を説明する。
イ）うにの中身をとったうに殻を、煮沸した真水か、薄い塩水で一定の時間茹でる。
ロ）茹でたうに殻を乾燥させる。
ハ）乾燥したうに殻を更に焼き乾燥させる。
ニ）焼き乾燥したうに殻を、一定の粒度に切断か破砕する。
本発明は以上のような構成よりなるうに殻の飼料用製法である。
【発明を実施するための最良の形態】
【０００５】  以下、本発明の実施の形態を説明する。
このようにすると、一定の粒度のうに殻成分の衛生的な乾燥飼料ができ、長期保存も可能で、飼料の自動供給装置も使用可能であった。
例えば、養鶏の飼料として、カルシウム補強剤、カキ殻飼料の代用にもなり、使用出来た。
この方法で、ホヤ類も含めた貝殻類、海老、カニ等の甲殻類や海草類にも使える。
【発明の効果】
【０００６】  この発明の効果を説明する。
この発明によって、うに殻の再生利用が高まり、養鶏の飼料として、安全でしかも衛生的なカルシウム補強として、多量に使用される。
しかも、低いコストの価値のある商品がつくれる。
(57)【要約】【課題】  アイスクリームと同一の容器内に添付された食材であるクルトンが、収納時は互いにその素材に影響を及ぼすことのない状態を保ち、食べる時は、容易にアイスクリームに添えて食すことが出来るようにすること。【解決手段】アイスクリームのカップの中に中容器または食材袋を備え、その中にクルトンを入れる。食べる時は、カップのふたを開け、そこにある中容器または食材袋から容易にアイスクリームにクルトンを振りかけて食すことが出来るようにした。温度差も有り、食感も異なるクルトンは、本体であるアイスクリームの味を引き立たせ、人の味覚を飽きさせない。【選択図】        図１
2006212011.tif 000002
【特許請求の範囲】
【請求項１】
カップの中に、中容器または食材袋を備えたアイスクリーム。
【請求項２】
カップの中に備えられた中容器または食材袋に、クルトンを入れアイスクリームに添える。
【発明の詳細な説明】
【技術分野】
【０００１】  この発明は、アイスクリームとその添加物であるクルトンを同一容器内に分離収納するためのものである。
【背景技術】
【０００２】  従来市販されているアイスクリームは、アイスクリームとその添加物が一体化している。
【発明の開示】
【発明が解決しようとする課題】
【０００３】  従来のアイスクリームは、アイスクリームとその添加物が一体化して内容物に温度差が無いため、食べている人の舌の温度が下がりっぱなしで食感も単一であり、味覚が鈍って飽きてくる。
【課題を解決するための手段】
【０００４】  この課題を解決するための請求項１の発明は、アイスクリームが入っている同一容器内に、食感の異なる食材をアイスクリームとは分離して収納するためのものである。【０００５】  また請求項２の発明は、アイスクリームを食す時、カップのふたを開けたときにそこに添付されているクルトンと一緒に食べれば、温度差もあり食感も異なるクルトンがアイスクリームの味をより引き立たせ、人を飽きさせない。
【発明の効果】
【０００６】  本発明により、アイスクリームとそれに添付された食材は互いに影響することなく同一容器内に収納され、食べる時は、アイスクリームに添えられたクルトンが本体の味を引き立たせる。
【発明を実施するための最良の形態】
【０００７】  図１は、アイスクリームのカップを構成するふた、中容器、容器本体を順にした斜視図である。図２は、図１の中容器に替わる食材袋である。この食材袋は収納時、アイスクリームに接触しないように、ふたの裏に接着するようにして添付しても良い。
【産業上の利用可能性】
【０００８】  本発明に係るアイスクリームは、工業的に量産することが可能であるため、産業上の利用可能性を有する。
【図面の簡単な説明】
【０００９】
【図１】アイスクリームのカップを、ふた（１）、中容器（２）、容器本体（５）の順にした斜視図である。
【図２】中容器（２）に替わる、クルトン（３）が入った食材袋（６）の斜視図である。
【符号の説明】
【００１０】            １．ふた
２．中容器
３．クルトン
４．アイスクリーム
５．容器本体
６．食材袋
【図１】
2006212011.tif 000003
【図２】
2006212011.tif 000004
(57)【要約】【課題】  鳩など野鳥の飛来を防ぐ効果的な方法が無く、糞害等に悩まされている。【解決手段】  野鳥の飛来する空間に透明な糸の先に野鳥の翼にひっかかる金具を取り付け、それを吊り下げることで野鳥が目的の範囲に近づくことを防ぐことができる。【選択図】  図１
2006212012.tif 000002
【特許請求の範囲】
【請求項１】
鳩など野鳥の飛来を防ぐ為、野鳥が飛来する空間に透明な糸の先に金具を取り付けたものを吊り下げ、これにより野鳥の飛来を防ぐ方式。
【請求項２】
吊り下げる金具の形状。
【発明の詳細な説明】
【技術分野】
【０００１】  本発明は、鳩など野鳥の飛来防止に関する。
【発明の開示】
【発明が解決しようとする課題】
【０００２】  鳩などの野鳥が飛来して糞害等を生じている。【０００３】  本発明は、このような野鳥の害を防ぐために、ある範囲に野鳥が近づかないことを目的とするものである。
【問題を解決するための手段】
【０００４】  そして、本発明は上記目的を達成する為に野鳥が通ると思はれる空間に、長さ１ｍ程の透明な糸の先に野鳥の羽にかかる金具を取り付けたものである。
【０００５】  これを設置した空間に野鳥が飛来すると、糸に沿って金具が野鳥の翼にひっかる構造である。
【０００６】  なお、金具の構造は魚釣りに用いる引っ掛け針に似ているが、野鳥を傷つけないようなものにしてある。
【０００７】  糸と金具は野鳥の飛来する空間に上から吊り下げるものとし、人にひっかからない空間に複数設置する。
【０００８】  糸の長さと金具の大きさは野鳥の種類によって選択するものとする。
【発明の効果】
【０００９】  これを設置することにより、ある特定の範囲に野鳥が飛来することを防ぎ、糞害等を防ぐことができる。
【図面の簡単な説明】
【００１０】
【図１】  糸と金具の設置図
【図２】  金具の図
【図３】  金具の吊り下げた状態での上から見た図。
【図１】
2006212012.tif 000003
【図２】
2006212012.tif 000004
【図３】
2006212012.tif 000005
(57)【要約】【課題】本発明は、高カルシウム含有植物の搾り液で固めた豆腐の味、食感、色を良くするため、高カルシウム含有植物の搾り液の量を調整し、凝固不足は豆腐用ニガリで補い、おいしく栄養価の高い豆腐を提供するものである。【解決手段】高カルシウム含有植物の搾り液の量を調整し、不足分を豆腐用凝固剤の併用で補った。【特許請求の範囲】
【請求項１】
豆乳を、高カルシウム含有植物の搾り液と豆腐用凝固剤で固める豆腐製造方法。
【請求項２】
豆乳および高カルシウム含有植物の搾り液成分と豆腐用凝固剤を含有することを特徴とする豆腐。
【発明の詳細な説明】
【技術分野】
【０００１】本発明は、高カルシウム含有植物の搾り液と豆腐用凝固剤を併用して豆乳を固める豆腐製造に関するものである。
【背景技術】
【０００２】従来の高カルシウム含有植物のしぼり液のみで豆乳を固めた豆腐は青臭味が残る上、キメが粗いため口当たりが悪く、食品としては問題であった。
【発明の開示】
【発明が解決しようとする課題】
【０００３】高カルシウム含有植物のしぼり液だけで豆乳を固めようとすると固まるのに都合の良い量を添加する必要があるが、その量では色が濃すぎ、また、青臭味も残り、結局は豆腐がまずくなってしまう。よって、高カルシウム含有植物のしぼり液の量を色と味を基準にして少なくし、凝固の不足分を豆腐用凝固剤で補うことを考えた。
【課題を解決するための手段】
【０００４】味、色ともに良い豆腐にするには、高カルシウム含有植物のしぼり液の添加量を豆乳１００ｇ当り４ｇとした。但し、この量では凝固が足りないので、不足分を豆腐用凝固剤０．６ｇの併用で補った。
【発明の効果】
【０００５】本発明の豆腐は
▲１▼  淡いグリーンで清涼感があり、食欲をそそる。
▲２▼  キャベツ青葉の搾り液を７０度の豆乳の中に入れる事により、キャベツが煮えた状態になり、独特のキャベツ本来の甘味が出るために豆腐がおいしくなる。
▲３▼  大豆の成分とキャベツ青葉の搾り汁の成分が合わさり、栄養価の高い自然志向の健康食品となった。
【発明を実施するための最良の形態】
【実施例】
【０００７】原料の丸大豆を一夜浸漬したのちに取り出し、丸大豆乾燥重量で１００ｇ当り、水５００ｇを加えながら摩砕し、数分間煮沸させた。上記を木綿布を通して圧搾濾過して豆乳を得た。豆乳温度を７０度に調整した中に、キャベツ青葉の搾り液を豆乳１００ｇ当り４ｇを投入撹拌し、続いて豆腐用凝固剤（ニガリ）を０．６ｇ投入撹拌した。静止１０分後、型箱に流し込ので重石を乗せた。３０分後に淡いグリーンの豆腐が出来あがった。
【産業上の利用可能性】
【０００８】本発明の豆腐は、淡いグリーンで清涼感があり、キャベツの甘味も加わっておいしい。しかも、大豆に含まれるイソフラボンなどの成分に加えキャベツ青葉の搾り液に含まれる、総カロテンなどの成分が加わり、自然志向の健康食品として、老若男女を問わずに愛される食品となると考えられる。特に、離乳食や柔らかいものしか食べられない人の栄養価の高い食品としての需要も期待される。
(57)【要約】【課題】高ヒール靴の履用時、ヒトの足に加わる衝撃を従来に比して格段に緩和させることができ、その履用を一層快適なものとすることができる踵パッドを提供の提供。【解決手段】平板状の粘着性樹脂体又は粘着性ゴム体からなる踵パッドであって、パッド表面はヒトの踵表面に倣う凹曲面部を有するとともに、パッド裏面は多数のディンプル部を形成してなる、高ヒール靴の履用をより快適にするための踵パッド。【選択図】図１
2006212068.tif 000002
【特許請求の範囲】
【請求項１】
平板状の粘着性樹脂体又は粘着性ゴム体からなる踵パッドであって、パッド表面はヒトの踵表面に倣う凹曲面部を有するとともに、パッド裏面は多数のディンプル部を形成してなる、高ヒール靴の履用をより快適にするための踵パッド。
【発明の詳細な説明】
【技術分野】
【０００１】
本発明は、サンダル、ミュールなどの上面の踵部位に載せて使用される踵パッドに関し、より詳しくは、履用時ヒトの足、特に踵に受ける衝撃を緩和し、より快適な履用を達成すべく改良された踵パッドに関する。
【背景技術】
【０００２】
従来、粘着性のある、やや厚肉の樹脂シート片よりなる踵パッドが提案されている（例えば、特許文献１、特許文献２参照。）。特許文献１においては、斯様な踵パッドをサンダルやミュール等の高ヒール靴の上面に、特に踵部表面に載せて履用すると、高ヒール靴の踵部がヒトの踵の動きに追従した動きを示すようになることから、履用時のヒールが地面に当って発する不快な雑音を小さくすることができるという利点があると述べられている。また、特許文献２においては、踵部位の他、爪先部位、土踏まず部位など種々の部位に、様々な形状の樹脂パッドを適用することが提案されている。
【特許文献１】特開２００４−２２３２０９号公報
【特許文献２】特開２００４−１９４７３４号公報
【発明の開示】
【発明が解決しようとする課題】
【０００３】
しかし、これまでに提案された踵パッドは、平板タイプ（表面も裏面も平坦である。）の樹脂パッドである。そして、サンダルやミュール等の高ヒール靴は、ヒール底面が小さいため、履用時、ヒトの足には、より大きな衝撃が加わる。そのため、従来の踵パッドには、斯様な衝撃を緩和するために、より一層の工夫や改良を為すことが求められていた。
【０００４】
本発明は、斯かる事情を考慮してなされたものであって、その目的とするところは、高ヒール靴の履用時、ヒトの足に加わる衝撃を従来に比して格段に緩和させることができ、よって、その履用を一層快適なものとすることができる踵パッドを提供することにある。
【課題を解決するための手段】
【０００５】
本発明は、平板状の粘着性樹脂体又は粘着性ゴム体からなる踵パッドであって、パッド表面はヒトの踵表面に倣う凹曲面部を有するとともに、パッド裏面は多数のディンプル部を形成してなる、高ヒール靴の履用をより快適にするための踵パッドに関する。
【０００６】
本発明の踵パッドは、平板状の粘着性樹脂体又は粘着性ゴム体から構成され、パッド表面にヒトの踵表面に倣う凹曲面部を、パッド裏面に多数のディンプル部を形成したものである。
【０００７】
前述の粘着性樹脂体としては、例えば、アクリル系樹脂、エポキシ系樹脂、ポリエチレン系樹脂、ポリプロピレン系樹脂、ポリオレフィン系樹脂、ポリウレタン系樹脂等の粘着性を有する様々な樹脂が挙げられ、また、前述の粘着性ゴム体としては、例えば、ポリイソプレンゴム、ブチルゴム、シリコンゴム、クロロプレンゴム、ニトリルゴム、ブタジエンゴム等の粘着性を有する様々な天然又は合成ゴムが挙げられる。
【発明の効果】
【０００８】
本発明の踵パッドは、平板状の樹脂体又はゴム体からなるので、高ヒール靴の上面に載せて履用でき、且つ該樹脂体又はゴム体は粘着性があるので、履用時、ヒトの足の踵表面にくっつかせることができ、高ヒール靴の踵部の、ヒトの踵の動きに追従した動きが可能となる。
そして、本発明の踵パッドにあっては、パッド表面に、ヒトの踵表面に倣う凹曲面部を有するので、パッド表面が単なる平坦面である場合とは異なり、履用時、踵パッドをヒトの足の踵表面に隙間無く密着させることができ、フィット感の格段に高いものとなる。
更に、本発明の踵パッドでは、パッド裏面に、多数のディンプル部が形成されているので、履用時、踵を下ろす動作で、ヒトの体重が踵パッドに加わる際、パッド裏面のディンプル部内のエアが圧縮されて、体重圧に対する反力が上向きに作用し、そして踵を上げる動作の間において、ディンプル部はもとの状態のように戻る。従って、本発明の踵パッドをとくに高ヒール靴の踵部に載せて適用した場合、履用時、ヒトの足に加わる衝撃をとりわけ緩和させることができる。
よって、本発明の踵パッドの使用により、高ヒール靴の履用が大変快適なものとなるという効果が得られる。
【実施例】
【０００９】
以下、本発明を図面を参照にしてより具体的に説明する。
図１は、本発明の踵パッド１のパッド表面２の斜視図である。図２は、本発明の踵パッド１のパッド裏面３の斜視図である。図３は、本発明の踵パッド１の使用例を示す図である。
【００１０】
本発明の踵パッド１は、粘着性のある樹脂体、例えばポリオレフィン系樹脂からなり、高ヒール靴の踵部位に載せて用いるのに適する大きさの平板状の形状をなす。
本発明の踵パッド１のパッド表面２には、ヒトの踵表面に倣う凹曲面部４が形成され（図１参照。）、パッド裏面３には、多数のディンプル部５・・・が形成されている（図２参照。）。
【００１１】
本発明の踵パッド１は、図３に示すように、パッド表面１を上にしてミュール等の高ヒール靴６の上面７の踵部８に載せることによって使用される。
このとき、踵パッド１は、粘着性のある樹脂体からなるので、高ヒール靴６の上面７に載せて用いたとき、ヒトの足にくっつくことができ、従って、高ヒール靴６の踵部７はヒトの踵の動きに追従して動くことが可能となり、履用時のヒールが地面に当って発する不快な雑音を小さくすることができる。
また、踵パッド１は、パッド表面２に、ヒトの踵表面に倣う凹曲面部４が形成されているので、パッド表面２が単なる平坦面である従来の踵パッドと異なり、履用時、ヒトの足の踵表面に隙間無く密着し、フィット感がより高い。
更に、踵パッド１は、パッド裏面３に、多数のディンプル部５・・・が形成されているので、パッド裏面３が単なる平坦面である従来の踵パッドと異なり、履用時、ヒトの足に加わる衝撃をより緩和させることができる。
【００１２】
従って、本発明の踵パッドを使用することにより、高ヒール靴の履用時、ヒトの足の踵表面に対して高いフィット感が得られ、かつヒトの足に加わる衝撃も格段に緩和され、よって、高ヒール靴の履用が大変快適なものとなる。
【図面の簡単な説明】
【００１３】
【図１】図１は、本発明の踵パッドの表面の斜視図である。
【図２】図２は、本発明の踵パッドの裏面の斜視図である。
【図３】図３は、本発明の踵パッドの使用例を示す図である。
【符号の説明】
【００１４】
１．踵パッド  ２．パッド表面  ３．パッド裏面  ４．凹曲面部  ５．ディンプル部  ６．高ヒール靴  ７．上面  ８．踵部
【図１】
2006212068.tif 000003
【図２】
2006212068.tif 000004
【図３】
2006212068.tif 000005
(57)【要約】      （修正有）【課題】ビーズ状装飾体を任意の駒内に簡単な加工技術で強固かつ確実に保持させ装飾具用チェーンの任意の駒にビーズ状装飾体による装飾効果を後加工によって付与する。【解決手段】金属条リングの駒１が多数連結された装身具用チェーンにおいて、所定駒のチェーン長手方向中央部の左右条間にビーズ状装飾体２を挿入しこのビーズ状装飾体の左右の孔ないしは窪み３に上記駒の左右条を押し込みこのビーズ状装飾体を上記駒内に保持させたことを特徴とする装身具用チェーン。【選択図】図２
2006212062.tif 000002
【特許請求の範囲】
【請求項１】
金属条リングの駒が多数連結された装身具用チェーンにおいて、所定駒のチェーン長手方向中央部の左右条間にビーズ状装飾体を挿入しこのビーズ状装飾体の左右の孔ないしは窪みに上記駒の左右条を押し込みこのビーズ状装飾体を上記駒内に保持させたことを特徴とする装身具用チェーン。
【請求項２】
金属条が金、銀、プラチナ、銅合金、チタン、ステンレスあるいはそれらの合金の線条である請求項１記載のチェーン。
【請求項３】
ビーズ状装飾体が貴金属、半貴石、真珠、宝石、チタン、ゲルマニウム、ステンレス、ガラスのビーズ、ボール、カットボールである請求項１または２記載のチェーン。
【請求項４】
所定駒が平面で円形、楕円形、長円形、角形に変形加工されている請求項１から３までのいずれか１項記載チェーン。
【請求項５】
ビーズ状装飾体をチェーンの全駒または１つ置きもしくは２つ以上置きの駒に保持させた請求項１から４までのいずれか１項記載のチェーン。
【請求項６】
複数個の駒に異種あるいは異色のビーズ状装飾体を保持させた請求項１から５までのいずれか１項記載のチェーン。
【請求項７】
これら装飾体の金属条リングの駒が多数連結された装身具用チェーンの所定駒内に左右に孔ないしは窪みを有するビーズ状装飾体を挿入し所定駒のチェーン長手方向中央部の左右条をこの左右の孔ないしは窪みに押し込み加工することを特徴とする装身具用チェーンの製法。
【発明の詳細な説明】
【技術分野】
【０００１】
本発明は異種の装飾体を組込んだ装身具用チェーンおよびその製法に関する。
【背景技術】
【０００２】
従来においても、左右に孔を貫通させたビーズ状装飾体に金属もしくは繊維の紐を串通しこれを駒間に連結してなる装身具用チェーン及びビーズ状装飾体をかご内に収容しこのかごを駒間に連結した装身具用チェーンは知られているが、その加工技術が煩雑であり、またその装身具としての意匠的効果も十分とは言えなかった。
【発明の開示】
【発明が解決しようとする課題】
【０００３】
解決しようとする問題点はビーズ状装飾体を任意の駒内に簡単な加工技術で強固かつ確実に保持させ装身具用チェーンの任意の駒にビーズ状装飾体による装飾効果を後加工によって付与することにある。
【課題を解決するための手段】
【０００４】
本発明は金属条リングの駒が多数連結された装身具用チェーンにおいて、所定駒のチェーン長手方向中央部の左右条間にビーズ状装飾体を挿入しこのビーズ状装飾体の左右の孔ないしは窪みに上記駒の左右条を押し込みこのビーズ状装飾体を上記駒内に保持させたことを特徴とする装身具用チェーンを提供するものである。
【０００５】
上記において、金属条が金、銀、プラチナ、銅合金、チタン、ステンレスあるいはそれらの合金の線条であるもの、ビーズ状装飾体が貴金属、半貴石、真珠、宝石、チタン、ステンレス、ガラスのビーズ、ボール、カットボールであるもの、所定駒が平面で円形、楕円形、長円形、角形に変形加工されているもの、ビーズ状装飾体をチェーンの全駒または１つ置きもしくは２つ以上（複数）置きの駒に保持させたもの、複数個の駒に異種あるいは異色のビーズ状装飾体を保持させたもののいずれか１つもしくは２つ以上を任意に組合わせ適用することができる。
【０００６】
上記においてビーズ状装飾体に設ける左右の孔（左右の貫通孔でもよい）もしくは窪みの径は駒を形成する金属条の径より大きく径の２倍より小さい範囲であればよい。
【０００７】
更に本発明の有利な点は駒内にビーズ状装飾体を保持させる加工の際に当該駒を同時に任意の平面形状例えば異なった円形、楕円形、長円形、角形等に変形成形できることである。
【０００８】
また、本発明によれば複数の駒にビーズ状装飾体を保持させる際にビーズ状装飾体の材料、形状、色彩等を自由に換えて組合わせ、形状換え、色換え等、多様な意匠効果を現出できる。
【発明を実施するための最良の形態】
【０００９】
以下に本発明を図面に示す実施例によって説明するが、これは例示の目的で掲げたもので、これによって本発明を制約するものではない。
【実施例１】
【００１０】
図１および図２は１つ置きの駒にビーズ状装飾体を保持配列した装身具用チェーンの上面図および正面図である。
この例では駒（１）は平面長円形の金属条リングからなり、これら駒（１）が相連接して装身具用チェーンを形成している。
チェーンの長手方向に１つ置きの駒（１）内に当該駒（１）の左右条間隔に近似した左右長を有するカットボール様のビーズ状装飾体（２）を駒（１）のチェーン長手方向中央部に夫々保持させるが、その保持態様は図３の拡大図に示すように装飾体（２）の左右に孔ないしは窪み（３）（３）対設するか、あるいは孔（３）（３）を左右貫通させ、この孔ないしは窪み（３）（３）に左右条の中央部を押し込み成形して孔ないしは窪み（３）（３）に押し込まれた金属条によって装飾体（２）を駒（１）に強固に保持させる。
【図面の簡単な説明】
【００１１】
【図１】本発明装身具用チェーンの上図面である。
【図２】同上の正図面である。
【図３】同上の部分拡大図である。
【符号の説明】
【００１２】
１……駒
２……ビーズ状装飾体
３……孔ないしは窪み
【図１】
2006212062.tif 000003
【図２】
2006212062.tif 000004
【図３】
2006212062.tif 000005
【手続補正書】
【提出日】平成17年2月7日(2005.2.7)
【手続補正１】
【補正対象書類名】図面
【補正対象項目名】図１
【補正方法】変更
【補正の内容】
【図１】
2006212062.tif 000006
【手続補正２】
【補正対象書類名】図面
【補正対象項目名】図２
【補正方法】変更
【補正の内容】
【図２】
2006212062.tif 000007
【手続補正３】
【補正対象書類名】図面
【補正対象項目名】図３
【補正方法】変更
【補正の内容】
【図３】
2006212062.tif 000008
(57)【要約】【課題】革ベルトに貴金属金具をつけた腕時計用革ベルトを提供する。【解決手段】ベルト受け部を、貴金属を素材としたもので作成し、新たに革ベルト先端部に、同じく貴金属を素材とした金具を作成し、先端部を包みこむ。この２点を特徴とする、腕時計用革ベルト。【選択図】図１
2006212402.tif 000002
【特許請求の範囲】
【請求項１】
ベルト受け部分を、金属を素材としたものにし、新たに、革ベルト先端部を同じく金属を素材として作成した金具で包みこむ。この２点を特徴とする腕時計用革ベルト。
【発明の詳細な説明】
【技術分野】
【０００１】本発明は、腕時計用革ベルトに取りつける金具に関するものである。
【背景技術】
【０００２】従来、腕時計用革ベルトは、留め金以外は皮革だけで作られている。
【発明の開示】
【発明が解決しようとする課題】
【０００３】そのために、次のような問題点が考えられる。
（イ）着用している腕時計と、衣類の袖口との摩擦などにより、ベルト受けや、革の先端部の磨耗が早い。
（ロ）金属製ベルトにはない、味わいの有る革ベルトだが、いまいち、装飾性や高級感に乏しい。
【課題を解決するための手段】
【０００４】  ベルト受け部分を、金属を素材としたものにし、新たに革ベルト先端部を、同じく金属を素材として作成した金具で包みこむ。この２点を特徴とする、腕時計用革ベルトである。
【発明の効果】
【０００５】皮革部分の磨耗を防ぎ、本来の革ベルトに、装飾性や高級感が増すものである。
【発明を実施するための最良の形態】
【０００６】以下、本発明の実施について説明する。
（イ）革ベルト受け（４）を、金属製のものにする。
（ロ）革ベルト先端部を作成した金属製金具（５）で、包むように固定する。
本発明は以上のような構成で、これを作成する時は、ベルト受け（４）部は、一定の場所に固定してもよいし、左右に移動出来るようにしてもよい。又先端用金具（５）は、その裏面にて、ネジ、その他の方法により、革ベルト先端を包み、固定する。さらにこのベルト受け金具（４）先端用金具（５）共に装飾性を増すために、その形や表面のデザインは、製造する側のデザイナーの創意工夫により、多種考えられるが、使用する素材もまた、高級感を増すために、腕時計本体の素材に合わせて、数種の貴金属が、考えられるものである。
【図面の簡単な説明】
【０００７】
【図１】本発明を用いた全体図
【図２】本発明のベルト受け金具の斜視図（ベルトが入っている）
【図３】本発明のベルト受け金具の斜視図
【図４】本発明の先端用金具の斜視図
【図５】本発明の先端用金具の斜視図（ベルトに固定されている）
【図６】本発明の先端用金具の裏面図
【図７】本発明を用いた腕時計用革ベルトの正面図
【符号の説明】
【０００８】１  腕時計本体
２  革ベルト
３  留め金具
４  ベルト受け金具
５  ベルト先端用金具
【図１】
2006212402.tif 000003
【図２】
2006212402.tif 000004
【図３】
2006212402.tif 000005
【図４】
2006212402.tif 000006
【図５】
2006212402.tif 000007
【図６】
2006212402.tif 000008
【図７】
2006212402.tif 000009
(57)【要約】      （修正有）【課題】財布の中のキャッシュカードの磁気データは外出先では無防備だったが、磁気シールド内臓シートで防備する。【解決手段】紙又は布材２の中に磁気シールドシート１を内蔵し財布に入れて使用する。【選択図】図１
2006212401.tif 000002
【特許請求の範囲】
【請求項１】
財布の札入れ部分に磁気シールド内臓シート入れ、キャッシュカードの磁気データを非接触型磁気スキマ−から防備する。
【発明の詳細な説明】
【技術分野】
【０００１】  本発明は財布に挿入してあるキャッシュカードを非接触型磁気スキマ−からのスキミングを防止する。［背景技術］【０００２】  従来、非接触型磁気スキマ−のスキミングと云う時代犯罪に財布は対処して無い。［発明の開示］［発明が解決しようとする課題］【０００３】  しかしながら、以上の技術によれば財布を携帯して外出すれば挿入してあるキャッシュカードの磁気データは無防備でスキミングされる可能性が大である。そこで、この発明は、財布の札入れ部分に入れキャッシュカードを包むように（図３）使用する事を課題とする。［課題を解決するための手段］【０００４】  磁気シールド内臓シートは、キャッシュカードの磁気データを非接触型スキマ−から防備する。［発明の効果］  このようにすれば、財布の中のキャッシュカードは非接触型磁気スキマーから防備する事が出来る。［発明を実施するための最良の形態と効果］【０００５】  この発明の一実施形態と効果を、図３図４に示す。この発明は、とても薄型で財布に違和感なく入り使用できる。乗り物の定期などは本発明の外側に入れ非接触スキマ−に対応するように使用します。
【図面の簡単な説明】
【図１】磁気シールド内臓シートの平面図
【図２】磁気シールド内臓シートの断面図
【図３】財布に磁気シールド内臓シートを挿入場所
【図４】使用例
【符号の説明】
１  磁気シールドシート（薄い金属）２  紙叉は布など
【図１】
2006212401.tif 000003
【図２】
2006212401.tif 000004
【図３】
2006212401.tif 000005
【図４】
2006212401.tif 000006
(57)【要約】【課題】ペーパーフィルターの装着部の仕組みを簡単にして、組み立て使用方法も簡単で製造コストも安く、携帯性にも優れている再使用可能なドリッパーを提供する。【解決手段】（２）のペーパーフィルター装着部の上部に（４）の穴を設けることによって、（３）の装着部の切り込み部分にペーパーフィルターを挟み込み強力に装着できて取り外しも簡単にできるよにすることで、ペーパーフィルター装着部の仕組みが簡単になり、ドリッパーの製造行程を簡単にすることができる、それによって、板状の材料に（２）のペーパーフィルター装着部（４）の穴（５）（６）の止め溝（７）の折り込み線を入れるという作業を、一回の型抜きで製造することでこの課題を解決する。【選択図】図４
2006212404.tif 000002
【特許請求の範囲】
【請求項１】
板状の材料に（２）のペーパーフィルター装着部を切り込み、その上部に（４）の穴を設けてある事を特徴とする、再使用できるドリッパー。
【請求項２】
板状の材料に（２）のペーパーフィルター装着部の切り込み（４）の穴（５）（６）の止め溝（７）の折り曲げ線を設けている事を特徴とする再使用できるドリッパー。
【発明の詳細な説明】
【技術分野】
【０００１】  本発明は、コーヒー抽出用の再使用できるドリッパーに関するものであり、板状の材料の一回の型抜きだけで製造することによって、組み立て、携帯性、量産性に優れた再使用できるドリッパーに関するものである。
【背景技術】
【０００２】  従来の再使用のできるドリッパーは、ペーパーフィルターをフィルターと同じ形状のの器に乗せて使うものがあるが、収納時にはかさばり携帯性に優れていないものであるコンパクトになるものとして、伸縮可能な螺旋状線材を使用してフィルターと同じ形状をつくり収納時に押し畳む工夫のものもある、しかしながら製造行程が複雑で製造コストが高くつくものであった。
【発明の開示】
【発明が解決しようとする課題】
【０００３】  従来の再使用出来るドリッパーは、ペーパーフィルター装着部の仕組みが複雑な事により、製造行程も複雑になり製造コストも高く、携帯性にも優れていないものとなっていた。本発明は、以上のような欠点を解決する事を課題とする。
【課題を解決するための手段】
【０００４】  この課題を解決するために（２）のペーパーフィルター装着部に挟むだけではペーパーフィルターにお湯を注ぎ入れた場合重さにたえられず簡単に取れてしまうので、この（２）のペーパーフィルター装着部の上部に（４）の穴を開けペーパーフィルター装着部の上下に動きの余裕がでるようにすることによって（３）の装着部の切り込み部分にペーパーフィルターを挟み込み  強力に装着できるようにして、取り外しも簡単にできるようにする。この仕組みでペーパーフィルター装着部の作りが簡単になることにより（２）のペーパーフィルター装着部の切り込み、（４）の穴あけ、（５）（６）の止め溝（７）の折り曲げ線を入れるという製造行程を、板状の材料を使用して一回の型抜で再使用できるドリッパーを製造することができる。
【発明の効果】
【０００５】  本発明により、板状の材料の一回の型抜きだけで、再使用できるドリッパーを製造することができる。組み立ては（７）の折り曲げ線からＶの字に折り曲げるだけでよく、ペーパーフィルターの装着と取り外しも簡単になる。そして製品には凹凸が無い為に、（７）の折り曲げ線から折り畳むと、図２のようにコンパクトで携帯に便利である。以上のことから、製造コストと運搬コストを少なくし、安価で再使用できるドリッパーを製造することができる。
【発明を実施するための最良の形態】
【０００６】（２）のペーパーフィルター装着部の上部に（４）の穴を開けることで、ペーパーフィルター装着部の上下に動きの余裕をだすことによって、（３）の装着部の切り込み部分の隙間にペーパーフィルターを挟み込みやすくして、強力に装着、取り外しが簡単にできるようにする。【０００７】（５）と（６）の止め溝を作ることによって、カップに乗せたときに安定させる。【０００８】（７）の折り曲げ線を折り曲げ安くするために他の部分より薄くする、（７）の折り曲げ線からＶの字に折り曲げると、図５のようにペーパーフィルター装着時の形となり、収納時は折り畳むと図２のようにコンパクトになるようにする。【０００９】  板材として、コーヒーなどの抽出に対して耐熱性があり無毒性であれば、特に材料に限定はなく、例としてポリプロピレンやポリエチレンなどがある。【００１０】  以上の構成により、板状の材料を一回の型抜きで、再使用できるドリッパーが製造できるように考えられている。
【実施例】
【００１１】  図１の型抜きをした製品を、使用時は（７）の折り曲げ線より図３のようにＶの字に折り曲げて、ペーパーフィルターを図５、図６、図７のように（２）のペーパーフィルター装着部に挟みます、それだけだと簡単に取れてしまうので、（２）のペーパーフィルター装着部を指で両側から挟み込むように圧迫するとペーパーフィルターが（３）の装着部の切り込み部分に挟み込まれて強力に装着できます。図５のドリッパーにペーパーフィルターが装着できたものを、図４のようにカップにのせます、ドリッパーを安定させるために止め溝（５）と（６）をカップの縁に合せて使用する。【００１２】  以上図４のように、カップに設置すればペーパーフィルターにコーヒー粉末を入れてお湯を注ぎ入れると、再使用できるドリッパーとして使用できる。
【産業上の利用可能性】
【００１３】  本発明は、工業的に量産が可能であるため、産業上の利用可能性を有する。
【図面の簡単な説明】
【００１４】
【図１】  本発明のドリッパーを示した平面図である。
【図２】  本発明のドリッパーを折り曲げた状態を示した平面図である。
【図３】  本発明のドリッパーを使用時の形として折り曲げた状態を示した斜視図である。
【図４】  本発明のドリッパーにペーパーフィルターを装着し、カップに乗せた使用例を示した斜視図である。
【図５】  本発明のドリッパーにペーパーフィルターを取り付けた状態を示した斜視図である。
【図６】  本発明のドリッパーにペーパーフィルターを片面だけ取り付けた状態を示す内側から見た側面図である。
【図７】  本発明のドリッパーにペーパーフィルターをとりつけた状態を示した外側から見た側面図である
【図８】  本発明のペーパーフィルター装着部を持ち上げて（４）の穴の形状を示した斜視図である。
【符号の説明】
【００１５】１          ドリッパー本体
２、２ａ    ペーパーフィルター装着部
３、３ａ    装着部の切り込み部分
４、４ａ    穴
５、５ａ    止め溝
６、６ａ    止め溝
７          折り曲げ線
８          ペーパーフィルター
９          カップ
【図１】
2006212404.tif 000003
【図２】
2006212404.tif 000004
【図３】
2006212404.tif 000005
【図４】
2006212404.tif 000006
【図５】
2006212404.tif 000007
【図６】
2006212404.tif 000008
【図７】
2006212404.tif 000009
【図８】
2006212404.tif 000010
(57)【要約】【課題】  吸着盤本体と支持凸部との間に設けた嵌合部に、捲着金具本体と挟持金具本体を介在させ嵌合部に挿着した縁リム付き掛具用フック器具を提供する。【解決手段】  吸着盤本体に支持凸部と嵌合部を設け、捲着金具本体に挟着部と縁リム捲着部を設け、挟持金具本体に挟着部と挟持部を設け、吸着盤本体と支持凸部と間に設けた嵌合部に捲着金具本体と挟持金具本体を介在させ嵌合部に挿着したことを特徴とする縁リム付き掛具用フック器具である。【選択図】  図１
2006212403.tif 000002
【特許請求の範囲】
【請求項１】
吸着盤本体に支持凸部と嵌合部を設け、捲着金具本体に挟着部と縁リム捲着部を設け、挟持金具本体に挟着部と挟持部を設け、吸着盤本体と支持凸部との間に設けた嵌合部に、捲着金具本体と挟持金具本体を介在させ嵌合部に挿着したことを特徴とする縁リム付き掛具用フック器具。
【発明の詳細な説明】
【技術分野】
【０００１】  本発明は、吸着盤本体と支持凸部との間に設けた嵌合部に、捲着金具本体と挟持金具本体を介在させ嵌合部に挿着した縁リム付き掛具用フック器具に関するものである。
【背景技術】
【０００２】  従来、吸盤にフックなどをつけた吸盤付きフックがあった。
【発明の開示】
【発明が解決しようとする問題】
【０００３】包装袋や
そのために、次のような問題点があった。
（イ）  フックの引っ掛け部に引っ掛けることが出来る形状の備えたハンガーなどや服に設けられている掛ける部を持ったものや、容易に引っ掛かる包装袋や把手部等の引っ掛かる所があるもの等しか、フックに駆ける事が出来なかった。
（ロ）  洗面器やカゴや鍋の蓋や鍋など容器の内側が凸起面が無くフックに引っ掛けることが出来ない形状のものには、不向きであった。
本発明は、これらの問題点を解決するためになされたものである。
【課題を解決しようとするための手段】
【０００４】  吸着盤本体に支持凸部と嵌合部を設け、捲着金具本体に挟着部と縁リム捲着部を設け、挟持金具本体に挟着部と挟持部を設ける。吸着盤本体と支持凸部と間に設けた嵌合部に捲着金具本体と挟持金具本体を介在させ嵌合部に挿着する。
以上を特徴とする縁リム付き掛具用フック器具である。
【発明の効果】
【０００５】  捲着金具本体に設けた縁リム捲着部よって、器具本体の形状に備えている器具の縁に設けられているリムに引っ掛けるように支持ができ、器具の内側の面の接触面に挟持金具本体に設けた挟持部による支えにより２点支持になり、しっかりと支え掛ける事が出来、きわめて堅固で落下せず、使い勝手が極めて高く、使用するときも容易にフックから嵌脱できる。
【発明を実施するための最良の形態】
【０００６】  以下、本発明の実施の携帯に付いて説明する。
（イ）吸着盤本体（３）に支持凸部（４）と嵌合部（７）を設ける。
（ロ）捲着金具本体（１）に挟着部（６）と縁リム捲着部（５）を設ける。
（ハ）挟持金具本体（２）に挟着部（８）と挟持部（９）（１０）を設ける。
（ニ）吸着盤本体（３）と支持凸部（４）との間に設けた嵌合部（７）に、捲着金具本体（１）と挟持金具本体（２）を介在させ嵌合部（７）に挿着する。
本発明は以上のような構成で、これを使用するときは、器具本体の形状に備えている器具の縁に設けられているリムに、捲着金具本体（１）に設けた縁リム捲着部（５）に引っ掛けて器具を支持する。
挟持金具本体（２）に設けた挟持部（９）（１０）により、器具本体の内側の面に挟持部（９）（１０）が接触することにより、器具の内側から器具本体を支える。
器具の外面と内面の２点から、フックに係った縁にリムを備えた器具本体を支持するために、器具の大小に関わらづ堅固で落下せず、掛けるのも容易でありフックからの嵌脱も容易である。
また図５に示すように、捲着金具本体（１）と挟持金具本体（２）を一体化した形状にして、吸着盤本体（３）の代わりに、止め孔（１４）による止めネジによって固定してもよい。
止め孔（１４）による止めネジによって固定が出来るため、本発明の吸着盤本体（３）の代わりになる。
また図５に示すように、捲着金具本体（１）と挟持金具本体（２）を一体化した形状にして、だるま形挿着孔（１５）を設け、吸着盤本体（３）に設けてある支持凸部（４）を通して、嵌合部（７）に挿着してもよい。
だるま形挿着孔（１５）により、吸着盤本体（３）に設けてある支持凸部（４）を通して、嵌合部（７）に挟着部（６）（８）が挿着されるため本発明と変わらずその効果は同じである。
また図６に示すように、捲着金具本体（１）と挟持金具本体（２）の代わりに支持金具本体（１７）を設け、縁リム捲着部（５）と挟持部（９）を備えた、支持金具本体（１７）を吸着盤本体（３）に設けた嵌通孔部（１６）に挿着してもよい。
縁リム捲着部（５）と挟持部（９）を備えた、支持金具本体（１７）により、本発明の効果と変わらず、器具本体の外面部分と内面部分の２点が支持されるために器具の大小に関わらづ保持される。
【図面の簡単な説明】
【０００７】
【図１】  本発明の斜視図
【図２】  本発明の分解斜視図
【図３】  本発明の実施例を示す斜視図
【図４】  本発明の実施例を示す側面断面図
【図５】  本発明の他の実施例を示す斜視図
【図６】  本発明の他の実施例を示す斜視図
【符号の説明】
【０００８】  １  捲着金具本体
２  挟持金具本体
３  吸着盤本体
４  支持凸部
５  縁リム捲着部
６  挟着部
７  嵌合部
８  挟着部
９  挟持部
１０  挟持部
１１  カゴ本体
１２  縁リム
１３  カベ
１４  止め孔
１５  だるま形挿着孔
１６  嵌通孔部
１７  支持金具本体
【図１】
2006212403.tif 000003
【図２】
2006212403.tif 000004
【図３】
2006212403.tif 000005
【図４】
2006212403.tif 000006
【図５】
2006212403.tif 000007
【図６】
2006212403.tif 000008
(57)【要約】      （修正有）【課題】持ち運びやすくかつ掃除しやすい脱水槽もしくは洗濯槽を提供する。【解決手段】上ぶたの取手１を手動もしくは電動でまわして、中ぶたを回転させることによりそれに取り付けた洗濯槽もしくは脱水槽を回転させて洗濯及び脱水を行う。洗濯槽を容易に取りはずして洗えるので衛生的にたもたれる。また、小型化でき持ち運びにも便利である。【選択図】図１
2006212405.tif 000002
【特許請求の範囲】
【請求項１】
上ぶたの取手を手動でまわして中ぶたを回転させることによりそれにとりつけた槽が回転し中にいれた洗濯物が脱水でき、手動かつ小型なのでもちはこびに便利になった。
【請求項２】
従来の洗濯機の槽は、槽を回転させるのに、槽にモーター等を取り付けていたため自分でとりはずすことが容易ではなく洗濯槽をすみずみまで洗うことができなかったが、中ぶたの部を回転させ洗濯槽が一緒に回転するように手動もしくは電動ですることで洗濯槽が簡単に自分で分解し洗うことができるので衛生的に保つことができる。
【発明の詳細な説明】
【技術分野】
【０００１】本発明は、ふたの部分を手動もしくは電動で回転させることにより中ぶたの部分が回転し脱水槽も一緒に回転し洗濯物を脱水させることができる
【背景技術】
【０００２】従来の洗濯機は洗濯槽を回転させている為モーター等をとりつけている関係上自分で取りはずし洗うことは容易ではなかった。
【発明の開示】
【発明の効果】
【０００３】このように中ぶたの部分を回転させることで脱水槽もしくは洗濯槽が自分で取りはずせて洗え衛生的にたもたれる。
【発明を実施するための最良の形態】
【０００４】本発明手動の時には小型にしもち運びがしやすくできるし、中ぶた部分を回転させるので電動にした場合でも洗濯槽もしくは脱水槽を取りはずせて洗え衛生的に保たれる。
小型の場合ももちろん洗える
【図面の簡単な説明】
【０００５】
【図１】洗濯槽とふたの断面図である
【符号の説明】
【０００６】１  上ぶたについている中ぶたを回転させる取手
２  外側の槽と洗濯槽もしくは脱水槽と接合している所
【図１】
2006212405.tif 000003